(57)【要約】      （修正有）【課題】自動的にラップをカットできる電動ラップカッターを提供する。【解決手段】基座２と側蓋板３、搬送履帯４、駆動装置５、カット装置６、設置座７及び底蓋９からなり、側蓋板３が、基座２の側面に組立てられ、搬送履帯４が、基座２内に収納され、駆動装置５により駆動されて、ラップ８を引き出し、また、カット装置６は、二つの側蓋板３上に跨り、駆動モータ６０とネジ杆６１、刃固定座及び補助軸棒６３が設けられ、駆動モータ６０は、駆動装置５によって制御され、ネジ杆６１が連動して転動され、ネジ杆６１に密着する刃固定座６２が、ネジ杆６１に沿って直線に変位し、刃固定座６２に、搬送履帯４の表面から突出してラップ８をカットする刃が設けられ、設置座７が、基座２の上方に組立てられ、ラップ８が、設置座７内に定位され、これにより、装卸便利で、安全且つ自動的にラップ８をカットできる電動ラップカッターが構成される。【選択図】図２
0003144675.tif 000002
【実用新案登録請求の範囲】
【請求項１】
内部に収納室が設けられ、周辺に、側壁が設けられ、側壁に、係止槽が形成され、また、その一つの側壁に軸穴が形成される基座と、
基座の側面に組み立てられ、一側の側蓋板に、軸穴が形成される側蓋板と、
上記基座の上方に組み立てられ、設置座の両側に、側壁が設けられ、側壁に、係止槽が形成され、設置座の下方に、ラップを設置座内に定位させるため、ラップ軸の両端に組み立てられる補助回転棒と貫通棒及び定位部材があり、それを利用して、貫通棒が、ラップ軸の内壁に抵当する設置座と、が備えられる電動ラップカッターであって、
基座内部に収納され、内部に、少なくとも二つの軸が貫設され、軸の両端に、定位部材が組み立てられ、それにより、基座上の係止槽に定位され、また、その一つの軸の一端に、伝達スリーブが嵌設され、伝達スリーブの端部に、ギアー槽が設けられる搬送履帯と、
一側の蓋板の外側に設置され、同期電動機があり、上記同期電動機の一端に、搬送履帯の伝達スリーブのギアー槽に噛み合う伝達ギアーが設けられ、コントロールボックス内に固定され、コントロールボックスに、切り替えスイッチとボタンが設けられる駆動装置と、
両側の蓋板に跨り、駆動モータとネジ杆、刃固定座及ぼ補助軸棒があり、駆動モータが、駆動装置により制御され、駆動モータによりネジ杆が駆動されて転動し、刃固定座が、ネジ杆に密着してネジ杆に沿って直線に変位し、刃固定座のもう一側に、刃が固定され、刃が、搬送履帯の表面から突出するカット装置と、
が含有される、
ことを特徴とする電動ラップカッター。
【請求項２】
搬送履帯の表面に、歯状条槽が設けられることを特徴とする請求項１に記載の電動ラップカッター。
【請求項３】
カット装置の刃固定座の一端面に、貼靠於ネジ杆に密着する案内条が設けられ、刃固定座が、ネジ杆上の螺条に沿って、横方向にリニアに往復変位し、また、カット装置の刃が、対応する側蓋板上の刃凹槽に収納されることを特徴とする請求項１に記載の電動ラップカッター。
【考案の詳細な説明】
【技術分野】
【０００１】
本考案は、電動ラップカッターに関し、特に、基座と側蓋板、搬送履帯、駆動装置、カット装置、設置座及び底蓋からなり、自動的にラップをカットでき、使用上、安全且つ便利で、ラップの装卸が簡単である電動ラップカッターに関する。
【背景技術】
【０００２】
従来のラップは、その構造が、図１のようで、ラップロール１０が、長方形ボックス１１にセットされ、ボックス１１に、開けるカバー１２が設けられ、カバー１２とボックス１１とにより、出口が形成され、出口の端縁が、ジグザグ状であるカット部１３になり、本考案によれば、ラップ１００を、ラップロール１０から、所定の長さで、引き出し、そして、一つの手で、カバー１２を押して、もう一つの手で、ラップ１００の端部を、逆方向に引っ張り、該カット部１３により、該ラップ１００を引き裂かれるが、従来のラップ１００の引き裂く操作は、ユーザーが、カバー１２の一端だけを押さえ、ボックス１１に沿って押さえることができないため、カットする時の押さえ箇所が均一に分散できないことにより、ラップ１００を引き裂き難く、また、絡み合って使用できなくなったり、引き裂いた長さが不均一になったり、変形になったりすることにより、操作が複雑で、また、時間が掛かり、不便である。
【０００３】
従来のラップのボックス１１は、ジグザグ状であるカット部１３が、ボックス１１の外に設置されるため、ユーザーが、ラップ１００を引き裂く時、不注意に、鋭いジグザグにより、傷つき、それも、従来のラップの解決しなければならない使用安全問題である。
【考案の開示】
【考案が解決しようとする課題】
【０００４】
本考案の主な目的は、自動的にラップをカットできる電動カッターを提供する。
【０００５】
本考案の他の目的は、より安全的にラップをカットすることができる電動カッターを提供する。
【０００６】
本考案の更に他の目的は、使用が便利で、快速的にラップを装卸できる電動ラップカッターを提供する。
【課題を解決するための手段】
【０００７】
本考案に係る電動ラップカッターは、基座と側蓋板、搬送履帯、駆動装置、カット装置、設置座及び底蓋からなり、搬送履帯が、基座の内部に設置され、搬送履帯に、少なくとも二つの軸が貫設され、軸の両端に組み立てられる定位部材により、基座上の係止槽に定位され、また、搬送履帯のその一つの軸の一端に伝達スリーブが嵌設され、伝達スリーブの端部に、ギアー槽が設けられ、駆動装置が、一つの側蓋板の外側に設置され、駆動装置に、同期電動機が設けられ、同期電動機の一端に、搬送履帯の伝達スリーブのギアー槽に噛み合う伝達ギアーが設けられ、該同期電動機が、コントロールボックス内に固定され、コントロールボックス上に、切り替えスイッチとボタンが設けられ、カット装置が、二つの側蓋板に跨るように設置され、カット装置に、駆動モータとネジ杆、刃固定座及び補助軸棒が備えられ、駆動モータが、駆動装置により制御され、駆動モータによりネジ杆が駆動されて転動し、刃固定座が、ネジ杆に密着してネジ杆に沿って直線に変位し、刃固定座のもう一側に、刃が固定され、刃が、搬送履帯の表面から突出する。
【考案を実施するための最良の形態】
【０００８】
図２〜図７を参照しながら、本考案は、主として、
矩形である基座２があり、基座２の内部に、収納室２０が形成され、収納室２０の左右両側と底面に、それぞれ、側壁２１が設けられ、各側壁２１に、ネジ穴２１０が形成され、左右側の側壁２１の上部において、適当な位置に、対向するように、同じ形状の挿入部材穴２２、弾性部材穴２３、ストッパー挿設穴２４が設けられ、また、側壁端縁に、Ｃ形状に類似する係止槽２５が形成され、また、左側壁に、軸穴２６が設けられ、そして、収納室２０の裏側板において、適当な位置に、ストップリブ２００が形成され、また、裏側板の上端の近くに、掛け穴２０１が形成され、
二つの側蓋板３があり、基座２の両側に組み立てられ、側蓋板３の上部の近くにある外側板に、若干のネジ穴３０が形成され、また、側蓋板３の内側面において、基座２の側壁２１のネジ穴２１０に対応するように、同じ数量のネジ穴柱３１が設けられ、ネジ穴柱３１が、側蓋板３の外側において、凹槽状になり、また、該二つの側蓋板３のに上部に、基座２の左右辺の側壁２１の上方にある挿入部材穴２２に対応する挿入部材３２が形成され、基座２の弾性部材穴２３に対応するストッパー３３が形成され、また、該ストッパー３３の先端に、行き止め槽３３０が形成され、そして、側蓋板３において、基座２のストッパー挿設穴２４に対応する抵当突出３４が形成され、該二つの側蓋板３において、基座２の係止槽２５に対応する収納槽３５が形成され、さらに、左側の側蓋板３において、基座２の左側の側壁２１にある軸穴２６に対応する軸穴３６が形成され、また、該左側の側蓋板３の外側蓋板に、若干のネジ穴柱３７が形成され、該側蓋板３の上方に、カット装置６の刃６２１を収納する刃凹槽３８が形成され、また、側蓋板３の上面において、抵当な位置に、凹面３９が形成され、
搬送履帯４があり、基座２の収納室２０内に収納され、搬送履帯４に、歯状条槽４０が設けられ、搬送履帯４の両端に、軸４１が貫設され、軸４１の両端に、定位部材４２が組み立てられ、該定位部材４２に、軸４１の両端に抵当する抵当突出４２０が設けられ、抵当突出４２０の外側に、基座２の側壁２１の係止槽２５に係止して定位する弾性フック４２１が設けられ、それにより、該軸４１が定位転動でき、また、搬送履帯４の上方軸４１の左側端に、伝達スリーブ４３が嵌設され、伝達スリーブ４３に、軸４１の端口に抵当する抵当突出４３０が設けられ、伝達スリーブ４３の外側端に、ギアー槽４３１が設けられ、該伝達スリーブ４３が、基座２の側壁２１と側蓋板３の軸穴２６、３６に対応し、
駆動装置５があり、側蓋板３の外側に設置され（本実施例において、左側の側蓋板３に設置され、図２と４及び５を参照する）、駆動装置５に、同期電動機５０が設けられ、同期電動機５０の一側に軸棒５００が伸び、軸棒５００の一端に、伝達ギアー５０１が設けられ、該伝達ギアー５０１が、左側の側蓋板３と基座２の側壁２１の軸穴３６、２６に貫通して、搬送履帯４の伝達スリーブ４３の外側にあるギアー槽４３１に噛み合い、該伝達ギアー５０１により、搬送履帯４が連動され、また、該同期電動機５０が、コントロールボックス５１内に固定され、コントロールボックス５１に、ネジ穴槽５１０が設けられ、ネジ穴槽５１０が、左側の側蓋板３の外へ突出するネジ穴柱３７と螺着し、また、該コントロールボックス５１から、電源接線５２が伸び、電源を接続して同期電動機５０に必要とする電力を供給し、また、コントロールボックス５１に、切り替えスイッチ５３とボタン５４が設けられ、切り替えスイッチ５３で、同期電動機５０の伝達を駆動し、ボタン５４で、カッターの作動を操作し、
また、カット装置６があり、二つの側蓋板３に跨り（図２〜図４のように）、該カット装置６に、駆動モータ６０があり、電源線を介して、伝達装置５のボタン５４に接続され、該ボタン５４により作動され、駆動モータ６０の外側に、駆動ギアー６００が設けられ、また、一端に、駆動モータ６０の駆動ギアー６００と噛み合うピニオン６１０が設けられるネジ杆６１があり、そして、ネジ杆６１の上方に抵当し、一端面に、ネジ杆６１に密着する案内条６２０があって、ネジ杆６１上の螺条６１１に沿って横方向にリニアに往復変位できる刃固定座６２があり、そして、刃固定座６２のもう一側に、刃６２１が固定され、該刃６２１が、基座２の収納室３０の方向へ突出し、そのため、該刃６２１の刃部が、搬送履帯４の表面に位置し、また、対応する側蓋板３上の刃凹槽３８内に収納され、また、刃固定座６２において、刃６２１に対応する外側の上方に、貫通穴６２２が形成され、補助軸棒６３が、刃固定座６２の貫通穴６２２に貫設され、カバー６４に、前記駆動モータ６０とネジ杆６１、刃固定座６２及び補助軸棒６３が収納され、カバー６４の両側に、それぞれ、二つの側蓋板３上のネジ穴３０に対応して螺着するネジ穴６４０が形成され、また、カバー６４内の一側壁に、ネジ杆６１と補助軸棒６３の末端を支持するフレーム６４１があり（図８のように）、
また、設置座７があり、基座２の上方に組み立てられ（図２、５、６のように）、設置座７の両側に、側壁７０があり、側壁７０の上方に、抵当弾みシート７００があり、抵当弾みシート７００の外側の端部に、抵当縁７０１が突出し、基座２の側壁２１の上方にある弾性部材穴２３に貫通して側蓋板３上のストッパー３３と嵌合し、また、該抵当縁７０１が、ストッパー３３上の行き止め槽３３０と嵌合して定位され、該設置座７の側壁７０に、更に、係止槽７０２が設けられ、設置座７の下方に、補助回転棒７１が設けられ、設置座７の上方に、ハンドル７２や錐形状の貫通棒７３と定位部材７４があり、それにより、ラップ８が、設置座７内に定位され、貫通棒７３と定位部材７４の外端に、抵当突出７３０、７４０が設けられてラップ８軸管８０の両側端に抵当し、そして、抵当突出７３０、７４０の外側に、弾性フック７３１、７４１が設けられ、設置座７の側壁７０の係止槽７０２に嵌合して定位され、これにより、貫通棒７３とラップ８が、定位転動でき、また、貫通棒７３に、リング状係止槽７３２が形成され、リング状係止７５が嵌合して定位され、該リング状係止７５が、ラップ８軸８０の内壁に支持し、開き蓋７６が、設置座７の上方に覆われ、開き蓋７６の上方の両側に、二つの側蓋板３の上面にある凹面３９に嵌合する突起７６０が形成され、また、開き蓋７６上に、開き蓋７６を便利に開くための握り槽７６１が形成され、
また、底蓋９があり、基座２の底部に螺着され、底蓋９上に、基座２の底面の側壁２１のネジ穴２１０に対応して螺着出来るネジ穴９０が形成され、底蓋９の正面に、基座２の底端を覆って二つの側蓋板３の端部に跨るような湾曲状の前蓋９１があり、これにより、全体としての美観が、向上される。
【０００９】
本考案によれば、図２と図４〜６及び図１０のように、まず、搬送履帯４の軸４１の両端に、定位部材４２を組立て、また、上方の左側に、伝達スリーブ４３を組立て、そして、該搬送履帯４を、基座２の収納室２０内に設置し、この時、軸４１の両端にある定位部材４２の外側の弾性フック４２１が、基座２の側壁２１の係止槽２５に嵌入し、これにより、軸４１が定位転動でき、更に、該伝達スリーブ４３のギアー槽４３１を、側壁２１上の軸穴２６に面して、二つの側蓋板３を、基座２の両側に組立て、それは、二つの側蓋板３の挿入部材３２を、基座２の二つの側壁２１の挿入部材穴２２に面して、ストッパー３３を、弾性部材穴２３に面して、抵当突出３４を、ストッパー挿設穴２４に面して、互いに挿設して係合させ、また、側蓋板３上のネジ穴柱３１と基座２の側壁２１上のネジ穴２１０に対応して螺着させ、この時、側蓋板３のの収納槽３５が、搬送履帯４の定位部材４２の側壁２１の外面から突出した弾性フック４２１を覆い、その後、駆動装置５を、左側の側蓋板３の外側に組立て、同期電動機５０先端にある伝達ギアー５０１が、側蓋板３と基座２の側壁２１の軸穴３６、２６に貫通して搬送履帯４の伝達スリーブ４３のギアー槽４３１と噛み合い、そして、カット装置６が、二つの側蓋板３に跨るように、該カット装置６の刃６２１が、左側の側蓋板３上の刃凹槽３８に面し、また、カバー６４の両側にあるネジ穴６４０と二つの側蓋板３上のネジ穴３０が対応するように螺着し、その後、底蓋９を基座２の底部に螺着して、底蓋９の前蓋９が、基座２の底端に覆うように二つの側蓋板３の端部に跨り、そして、底蓋９のネジ穴９０と基座２の底面のネジ穴２１０とが対応して螺着し、基座２の上方に、ラップ８を設置するための設置座７が実装され、まず、貫通棒７３をリング状係止７５に嵌設した後、ラップ８軸８０の一側端に組立て、もう一端に、定位部材７４が組立てられ、また、弾性フック７３１、７４１が、設置座７の側壁７０上の係止槽７０２に嵌合されることにより、ラップ８の軸８０が定位転動でき、その後、ラップ８を引き出して、下方の補助回転棒７１の裏側を回して搬送履帯４上に位置させ（図５のように）、そして、該設置座７を基座２の上方から収納室２０に押し込んで、抵当弾みシート７００を、基座２の側壁２１の上方にある弾性部材穴２３を通させ、また、その端部から外へ突出した抵当縁７０１が、側蓋板３上の突出したストッパー３３の行き止め槽３３０に係合され、設置座７の底面が、基座２の収納室２０のストップリブ２００により支持され、設置座７の底面の両端が、二つの側蓋板３の内へ向かって突出した基座２の側壁のストッパー挿設穴２４に貫通する抵当突出３４に抵当し、それから、開き蓋７６を設置座７の上方に設置し、開き蓋７６の上方の両側の突起７６０が、二つの側蓋板３の上面の凹面３９に嵌合し、以上のように、組立てが終了される（図１０のように）。
【００１０】
本考案によれば、図４〜９のように、駆動装置５の電源接線５２を電源に接続し、使用する時、コントロールボックス５１上の切り替えスイッチ５３を押すことにより、同期電動機５０が駆動されて、軸棒５００と伝達ギアー５０１が、転動され、該伝達ギアー５０１により、搬送履帯４の伝達スリーブ４３が駆動されて、搬送履帯４が連動され、同時に、該搬送履帯４により、その表面に貼り付くラップ８が持続的に引き出され、該ラップ８を所定の長さを引き出すと、同期電動機５０の作動を一時停止させ、その後、コントロールボックス５１上のボタン５４を押すことにより、カット装置６の駆動モータ６０が駆動され、駆動ギアー６００が連動され、それに噛み合うネジ杆のピニオン６１０が転動され、また、転動するネジ杆６１により、ネジ杆６１に密着する刃固定座６２が、ネジ杆６１上の螺条６１１に沿って、もう一端へ横方向にリニアに変位し（図９のように）、これにより、刃６２１で、搬送履帯４上のラップ８をカットでき、以上の構造により、安全且つ自動的にカットできる電動ラップカッターが構成され、また、該電動ラップカッターは、基座２の収納室２０裏側に設けられた掛け穴２０１を利用して、壁面に掛けることが出来る。
【００１１】
また、ラップ８を交換する時、設置座７の開き蓋７６を開いて、手で、ハンドル７２を握り、該設置座７を引き出し、使い済みのラップ軸８０を取り出して、新しいラップ８を、前記の組立て方式で、設置座７内に設置し、そして、同じように、ラップ８を引き出して、下方の補助回転棒７１の裏側を回して搬送履帯４上に位置させ、更に、該設置座７を基座２の上方から収納室２０に押し込んるだけで、交換が終了される。
【００１２】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１３】
【図１】従来のラップ使用状態の参考図
【図２】本考案の斜視分解図
【図３】本考案に係るカット装置の組立て斜視図
【図４】本考案の駆動装置とカット装置の一部構造の組立て参考図
【図５】本考案の組立ての一部の側面断面図
【図６】本考案の設置座と搬送履帯の一部の断面図（１）
【図７】本考案の設置座と搬送履帯の一部の剖面図（２）
【図８】本考案のカット装置の使用状態参考図（１）
【図９】本考案のカット装置の使用状態参考図（２）
【図１０】本考案の斜視外観図
【符号の説明】
【００１４】
１０    ラップロール
１００  ラップ
１１    ボックス
１２    カバー
１３    カット部
２      基座
２０    収納室
２００  ストップリブ
２０１  掛け穴
２１    側壁
２１０  ネジ穴
２２    挿入部材穴
２３    弾性部材穴
２４    ストッパー挿設穴
２５    係止槽
２６    軸穴
３      側蓋板
３０    ネジ穴
３１    ネジ穴柱
３２    挿入部材
３３    ストッパー
３３０  行き止め槽
３４    抵当突出
３５    収納槽
３６    軸穴
３７    ネジ穴柱
３８    刃凹槽
３９    凹面
４      搬送履帯
４０    条槽
４１    軸
４２    定位部材
４２０  抵当突出
４２１  弾性フック
４３    伝達スリーブ
４３０  抵当突出
４３１  ギアー槽
５      駆動装置
５０    同期電動機
５００  軸棒
５０１  伝達ギアー
５１    コントロールボックス
５１０  ネジ穴槽
５２    電源接線
５３    切り替えスイッチ
５４    ボタン
６      カット装置
６０    駆動モータ
６００  駆動ギアー
６１    ネジ杆
６１０  ピニオン
６１１  螺条
６２    刃固定座
６２０  案内条
６２１  刃
６２２  貫通穴
６３    補助軸棒
６４    ー
６４０  ネジ穴
６４１  フレーム
７      設置座
７０    側壁
７００  抵当弾みシート
７０１  抵当縁
７０２  係止槽
７１    補助回転棒
７２    ハンドル
７３    貫通棒
７３０  抵当突出
７３１  弾性フック
７３２  リング状係止槽
７４    定位部材
７４０  抵当突出
７４１  弾性フック
７５    リング状係止
７６    開き蓋
７６０  突起
７６１  握り槽
８      ラップ
８０    軸管
９      底蓋
９０    ネジ穴
９１    前蓋
【図１】
0003144675.tif 000003
【図２】
0003144675.tif 000004
【図３】
0003144675.tif 000005
【図４】
0003144675.tif 000006
【図５】
0003144675.tif 000007
【図６】
0003144675.tif 000008
【図７】
0003144675.tif 000009
【図８】
0003144675.tif 000010
【図９】
0003144675.tif 000011
【図１０】
0003144675.tif 000012
【手続補正書】
【提出日】平成20年7月9日(2008.7.9)
【手続補正１】
【補正対象書類名】実用新案登録請求の範囲
【補正対象項目名】全文
【補正方法】変更
【補正の内容】
【実用新案登録請求の範囲】
【請求項１】
内部に収納室が設けられ、周辺に、側壁が設けられ、側壁に、係止槽が形成され、また、その一つの側壁に軸穴が形成される基座と、
基座の側面に組み立てられ、一側の側蓋板に、軸穴が形成される側蓋板と、
上記基座の上方に組み立てられ、設置座の両側に、側壁が設けられ、側壁に、係止槽が形成され、設置座の下方に、ラップを設置座内に定位させるため、ラップ軸の両端に組み立てられる補助回転棒と貫通棒及び定位部材があり、それを利用して、貫通棒が、ラップ軸の内壁に抵当する設置座と、が備えられる電動ラップカッターであって、
基座内部に収納され、内部に、少なくとも二つの軸が貫設され、軸の両端に、定位部材が組み立てられ、それにより、基座上の係止槽に定位され、また、その一つの軸の一端に、伝達スリーブが嵌設され、伝達スリーブの端部に、ギアー槽が設けられる搬送履帯と、
一側の蓋板の外側に設置され、同期電動機があり、上記同期電動機の一端に、搬送履帯の伝達スリーブのギアー槽に噛み合う伝達ギアーが設けられ、コントロールボックス内に固定され、コントロールボックスに、切り替えスイッチとボタンが設けられる駆動装置と、
両側の蓋板に跨り、駆動モータとネジ杆、刃固定座及ぼ補助軸棒があり、駆動モータが、駆動装置により制御され、駆動モータによりネジ杆が駆動されて転動し、刃固定座が、ネジ杆に密着してネジ杆に沿って直線に変位し、刃固定座のもう一側に、刃が固定され、刃が、搬送履帯の表面から突出するカット装置と、
が含有されることを特徴とする電動ラップカッター。
【請求項２】
搬送履帯の表面に、歯状条槽が設けられることを特徴とする請求項１に記載の電動ラップカッター。
【請求項３】
カット装置の刃固定座の一端面に、ネジ杆に密着する案内条が設けられ、刃固定座が、ネジ杆上の螺条に沿って、横方向にリニアに往復変位し、また、カット装置の刃が、対応する側蓋板上の刃凹槽に収納されることを特徴とする請求項１に記載の電動ラップカッター。